(57)【要約】【課題】  ダクト内の電力線からプラグを介して電気機器へ電力供給を行い、電気機器の種類、仕様を問わず容易に低コストで遠隔制御監視を行うことができる遠隔監視制御システムを提供する。【解決手段】  屋内の天井面に設置された配線ダクト２内には電力線３，３として１対の導体３ａ，３ａが配設され、配線ダクト２に取り付けられて導体３ａ，３ａに接続されるプラグ４と、プラグ４を介して電力線３から電力を供給されるスピーカ１１、センサ１２、モニタ装置１３、照明器具１４等の電気機器と、各電気機器を監視または制御する端末装置５とを備え、プラグ４は、プラグ４に接続された電気機器と、端末装置５、他のプラグ４に接続された電気機器との間で電力線３を介して通信を行う電力線搬送通信手段を備える。【選択図】図１
2007166417.tif 000002
【特許請求の範囲】
【請求項１】
屋内に設置されて電力線を収納したダクトと、ダクトに取り付けられて電力線に接続される１乃至複数のプラグと、プラグを介して電力線から電力を供給される１乃至複数の電気機器と、各電気機器を監視、制御する端末装置とを備える遠隔監視制御システムにおいて、  
プラグは、該プラグに接続された電気機器と、端末装置、他のプラグに接続された電気機器との間で電力線を介して通信を行う電力線搬送通信手段を備えることを特徴とする遠隔監視制御システム。
【請求項２】
前記プラグは、電力線に接続する入力端における入力インピーダンス特性が電力線搬送通信に用いる所定の周波数帯域に対して高く、商用電源周波数に対しては低いインピーダンスアッパを備えることを特徴とする請求項１記載の遠隔監視制御システム。
【請求項３】
前記端末装置は、少なくとも電力線を介して所定の情報を送信し、前記電気機器のうち少なくとも１つは、前記端末装置から少なくとも電力線を介して送信された所定の情報を提示する情報提示手段を備えることを特徴とする請求項１または２記載の遠隔監視制御システム。
【請求項４】
前記電気機器のうち少なくとも１つは、画像を撮像するカメラであり、前記電気機器のうち少なくとも１つは、電力線を介して送信された画像信号をモニタするモニタ手段であり、前記端末装置は、画像信号をモニタ手段に送信させる制御信号を少なくとも電力線を介してカメラに送信することを特徴とする請求項１または２記載の遠隔監視制御システム。
【発明の詳細な説明】
【技術分野】
【０００１】
本発明は、遠隔監視制御システムに関するものである。
【背景技術】
【０００２】
近年、通信技術の進展により様々な技術分野でネットワーク化が進んでおり、建物内の様々な電気機器がネットワークに接続されつつある。このような電気機器のネットワーク化は、これら電気機器を有機的に連携運転することによって、さらには、建物外のネットワークとこの建物内のネットワークとを相互接続して外部の通信端末からこれら電気機器に運転を指示することによって、省エネルギーや遠隔制御などに対応すると共に安全で快適な暮らしを提供しようとするものである。通信信号の伝送方法は、種々のものがあるが、既設の配線を利用することから新たな伝送路を布設する必要がないという利点や、そのために導入に伴う初期費用がその分低廉であり、建物の美観も損ねない、という利点から、これら電気機器に電力を供給する電灯線（電力線）を伝送路に利用した電力線搬送通信［以後、ＰＬＣ（Power Line Communication）と称す］が採用されることがある。
【０００３】
この電力線搬送通信は、例えば、商用周波数の電力波形に高周波の通信信号を重畳して送信したり、この電力波形からこの高周波の通信信号を分離して受信したりすることによって、通信信号を電力線を介して送受信する通信方式である。（例えば、特許文献１参照）
また、工場、店舗、事務所内等では、天井等に配線された配線ダクトから照明器具、動力器具等の電気機器の電源を取り出すため、プラグを配線ダクトに取り付けて、プラグ内に設けた栓刃を配線ダクト内の電力線に接触させ、電力線からプラグを介して電気機器に電力を供給している。
【特許文献１】特開２００５−２３６８１５号公報
【特許文献２】特開昭６４−８１１８０号公報
【発明の開示】
【発明が解決しようとする課題】
【０００４】
上記のように配線ダクト内の電力線からプラグを介して電気機器へ電力供給を行っているシステムにおいて、上記電力線搬送通信を用いて遠隔制御監視を行う場合、電力線との間で信号の授受を行うＰＬＣモデムを別途用意して、プラグから導出した電力線にＰＬＣモデムを接続し、このＰＬＣモデムに被制御監視機器を接続しなければならず、手間がかかるとともに、高コストになっていた。
【０００５】
また、予めＰＬＣモデムを内蔵した被制御監視機器もあるが、ＰＬＣモデムを内蔵した電気機器の数、種類はまだ少なく、所望の仕様、種類のＰＬＣモデム内蔵機器を見つけ出すことは難しかった。
【０００６】
本発明は、上記事由に鑑みてなされたものであり、その目的は、ダクト内の電力線からプラグを介して電気機器へ電力供給を行い、電気機器の種類、仕様を問わず容易に低コストで遠隔制御監視を行うことができる遠隔監視制御システムを提供することにある。
【課題を解決するための手段】
【０００７】
請求項１の発明は、屋内に設置されて電力線を収納したダクトと、ダクトに取り付けられて電力線に接続される１乃至複数のプラグと、プラグを介して電力線から電力を供給される１乃至複数の電気機器と、各電気機器を監視、制御する端末装置とを備える遠隔監視制御システムにおいて、プラグは、該プラグに接続された電気機器と、端末装置、他のプラグに接続された電気機器との間で電力線を介して通信を行う電力線搬送通信手段を備えることを特徴とする。
【０００８】
請求項２の発明は、請求項１において、前記プラグは、電力線に接続する入力端における入力インピーダンス特性が電力線搬送通信に用いる所定の周波数帯域に対して高く、商用電源周波数に対しては低いインピーダンスアッパを備えることを特徴とする。
【０００９】
請求項３の発明は、請求項１または２において、前記端末装置は、少なくとも電力線を介して所定の情報を送信し、前記電気機器のうち少なくとも１つは、前記端末装置から少なくとも電力線を介して送信された所定の情報を提示する情報提示手段を備えることを特徴とする。
【００１０】
請求項４の発明は、請求項１または２において、前記電気機器のうち少なくとも１つは、画像を撮像するカメラであり、前記電気機器のうち少なくとも１つは、電力線を介して送信された画像信号をモニタするモニタ手段であり、前記端末装置は、画像信号をモニタ手段に送信させる制御信号を少なくとも電力線を介してカメラに送信することを特徴とする。
【発明の効果】
【００１１】
以上説明したように、本発明では、プラグは、該プラグに接続された電気機器と、端末装置、他のプラグに接続された電気機器との間で電力線を介して通信を行う電力線搬送通信手段を備えるので、従来のようにプラグとは別途にＰＬＣモデムを用意したり、予めＰＬＣモデムを内蔵した電気機器を用意する必要がなく、ダクト内の電力線からプラグを介して電気機器へ電力供給を行い、電気機器の種類、仕様を問わず容易に低コストで遠隔制御監視を行うことができるという効果がある。
【発明を実施するための最良の形態】
【００１２】
以下、本発明の実施の形態を図面に基づいて説明する。
【００１３】
（実施形態１）
本実施形態の遠隔監視制御システムは工場、店舗、事務所、美術館等の屋内に用いられるもので、その構成を図１に示す。
【００１４】
まず、単線３線式の商用電源ＡＣからの２本の活線と１本の中性線は分電盤１内に導入され、分電盤１内に設けた主幹ブレーカ（図示なし）、分岐ブレーカ（図示なし）等を介して１本の活線と中性線とが一対の電力線３，３として分電盤１から導出されて、電源（１００Ｖ、５０／６０Ｈｚ）を供給する。この一対の電力線３，３は、屋内の天井面、壁面、床面等に設置されて、天井面においては配線ダクトシステムが用いられており、天井面に取り付けられた配線ダクト２内に配設した長尺の１対の導体３ａ，３ａで電力線３，３が構成される。
【００１５】
なお、分電盤１内には、商用電源ＡＣの異相配線間に、電力線搬送通信に用いる所定の周波数帯域に対して低いインピーダンス、商用電源周波数に対しては高いインピーダンスを有するハイパスフィルタからなる結合器（図示なし）を設けてもよい。なお、前述の所定の周波数帯域は、例えば１０ｋＨｚ〜４５０ｋＨｚ、２ＭＨｚ〜３０ＭＨｚである。
【００１６】
上記配線ダクト２は図２（ａ）（ｂ）に示すように長尺中空のもので、その長手方向には開口部２ａが形成してある。開口部２ａより配線ダクト２の内部にプラグ４を所定の向きで挿入し、プラグ４の一対の栓刃４ａ，４ａを配線ダクト２内の導体３ａ，３ａに接触させてプラグ４を通電させる。なお、図２（ａ）は、図２（ｂ）のＢ−Ｂ’断面図である。
【００１７】
プラグ４を配線ダクト２に挿入，装着するには、まずプラグ４を所定の向きで開口部２ａより配線ダクト２の内部に挿入し、そしてプラグ４を９０°回転して栓刃４ａを配線ダクト２の導体３ａに接触させ、係止部４ｂを開口部２ａの周縁の内壁面に係止させる。
【００１８】
図１に示すように配線ダクト２には複数のプラグ４が取り付けられ、各プラグ４には、スピーカ１１、焦電センサ等のセンサ１２、モニタ装置１３、照明器具１４等の各電気機器が、直接あるいはケーブルＬを介して各々接続されており、これらの電気機器にはプラグ４を介して電力線３から電源が供給されている。
【００１９】
ここで、図３（ａ）に示すように、プラグ４と電気機器（図３（ａ）中では照明器具１４）とを一体に形成してもよく、あるいは図３（ｂ）に示すように、プラグ４からケーブルＬを介して電気機器（図示なし）に接続する形態でもよい。
【００２０】
さらに、電力線３には、上記スピーカ１１、センサ１２、モニタ装置１３、照明器具１４等の各電気機器を監視、制御するための端末装置５が接続されている。
【００２１】
本実施形態では、上記端末装置５、スピーカ１１、センサ１２、モニタ装置１３、照明器具１４等の電気機器は、電力線３を介して電力線搬送通信を用いて相互に通信をしており、以下、この電力線搬送通信について説明する。
【００２２】
図４（ａ）は，プラグ４の回路構成の一例を示しており、プラグ４は、電路接続部４１、電力線搬送通信回路４２、インターフェース部４３、インピーダンスアッパー４４、給電部４５を備える。
【００２３】
電路接続部４１は、電力線３に接続する受電口であり、本実施形態では図２（ａ）の一対の栓刃４ａ，４ａに相当する。
【００２４】
そして、電力線搬送通信回路４２は、電路接続部４１を介して接続された電力線３からの信号を復調してインターフェース部４３ヘ出力するとともに、インターフェース部４３からの信号を変調して電力線３ヘ送信する。
【００２５】
インターフェース部４３は、上記スピーカ１１、センサ１２、モニタ装置１３等の各電気機器の情報口に接続して、各電気機器との間で情報の授受を行う。
【００２６】
また、電路接続部４１を介して電力線３から供給される電力は、インピーダンスアッパ４４を介して給電部４５に供給され、給電部４５は、上記スピーカ１１、センサ１２、モニタ装置１３等の各電気機器の受電口に接続して、各電気機器に電力を供給する。
【００２７】
インピーダンスアッパ４４は、電力線３に電気的に接続する入力端における入力インピーダンス特性が電力線搬送通信に用いる所定の周波数帯域に対して高く、商用電源周波数に対しては低い特性を有する。したがって、給電部４５に電気機器が接続され、その電気機器のインピーダンスが電力線搬送通信に用いる通信周波数帯域に対して低インピーダンスとなっても、インピーダンスアッパ４４によって、プラグ４内の電路のインピーダンスが高インピーダンスに維持され、そのため電力線搬送通信に影響を与えることがなく、安定した通信が行える。なお、このインピーダンスアッパ４４は、給電部４５に接続される電気機器のインピーダンスが十分に高い場合は省略できる。
【００２８】
図４（ｂ）は、プラグ４の別の回路構成を示しており、照明器具１４のように、電源供給操作によって制御が可能な電気機器が接続され、該電気機器への電源供給のオン・オフを行うもので、インターフェース部４３の代わりに電源制御回路４６を設け、インピーダンスアッパ４４と給電部４５との間にリレー４７の接点を設けている。
【００２９】
電源制御回路４６は、電力線搬送通信回路４２を介して受信した制御信号に基づいてリレー４７の接点を開閉制御し、リレー４７の接点が閉時に電源接続部４１からインピーダンスアッパ４４を介して給電部４５へ電源が供給され、リレー４７の接点が開時には給電部４５への電源が遮断される。
【００３０】
図５は、端末装置５の回路構成を示しており、端末装置５は、電力線搬送通信回路５１、監視制御回路５２を備える。
【００３１】
電力線搬送通信回路５１は、電力線３からの信号を復調して監視制御回路５２ヘ出力するとともに、監視制御回路５２からの信号を変調して電力線３ヘ送信する。
【００３２】
監視制御回路５２は、電力線３に接続された各電気機器の監視，制御を行うための演算処理等を行う。
【００３３】
このように、電力線搬送通信回路４２を備えるプラグ４に接続された上記スピーカ１１、センサ１２、モニタ装置１３、照明器具１４等の各電気機器、電力線搬送通信回路５１を備える端末装置５は、電力線３を介して相互に通信を行なうことができる。
【００３４】
そして、端末装置５は、電力線３を介した電力線搬送通信を行うことによって、各プラグ４に取り付けられた電気機器を監視，制御しており、例えば、焦電センサで構成されるセンサ１２からの侵入者検知信号を受信した場合は、スピーカ１１に制御信号を送信してスピーカ１１から警報音を出力させる。さらに、照明を点灯させる制御信号を照明器具１４へ送信する。
【００３５】
また、端末装置５が工場の生産ラインの工程管理、生産管理を行うものであれば、工程管理情報あるいは生産管理情報を、端末装置５から電力線３を介して生産ライン近傍に設けたモニタ装置１３に送信して、モニタ装置１３に生産状況を表示させることで、ラインでの作業従事者に現在の生産状況をリアルタイムに知らせることができる。
【００３６】
また、端末装置５が上記電力線搬送通信回路５１を備えていないものであれば、電気機器と同様にプラグ４に接続して構成すればよい。
【００３７】
さらに、図１中の破線に示すように、分電盤１に導入される電力引込線Ｐを、電柱等に設置したＰＬＣモデム８を介してインターネット網ＮＴに接続し、外部端末装置６や携帯端末７からインターネット網ＮＴ、ＰＬＣモデム８経由で、電力線３上での電力線搬送通信を行い、スピーカ１１、センサ１２、モニタ装置１３、照明器具１４等の各電気機器の監視制御を行ってもよい。
【００３８】
さらに、複数の工場、店舗、事務所、美術館等に本実施形態の遠隔監視制御システムを設けて、管理会社等で一括管理する場合、図１中の破線に示すように、管理会社等に設置したサーバ１００をインターネット網ＮＴに接続すれば、サーバ１００からＰＬＣモデム８，８１，８２，．．．を介して複数の遠隔監視制御システムを一括管理できる。なお、上記端末装置５、外部端末装置６、携帯端末７を省略して、サーバ１００が端末装置の機能を有してもよい。
【００３９】
このように、プラグ４は、電力線３を介して電力線搬送通信を行う電力線搬送通信回路４２を内部に備えるので、従来のようにプラグ４とは別途にＰＬＣモデムを用意したり、予めＰＬＣモデムを内蔵した電気機器を用意する必要がなく、配線ダクト２内の電力線３からプラグ４を介して電気機器へ電力供給を行い、電気機器の種類、仕様を問わず容易に低コストで遠隔制御監視を行うことができる。
【００４０】
なお、電力線搬送通信の方式には、１０ｋＨｚ〜４５０ｋＨｚの周波数帯域を通信に用いる低速の方式と、２ＭＨｚ〜３０ＭＨｚの周波数帯域を通信に用いる高速の方式とがある。上記インピーダンスアッパ４４は、入力インピーダンス特性が上記いずれかの周波数帯域に対して高くなる。
【００４１】
そして、低速の電力線搬送通信の方式としては、シングルキャリア方式、選択型シングルキャリア方式、直接スペクトラム拡散方式等がある。さらに、高速，大容量の電力線搬送通信の方式としては、マルチキャリア変調方式、ＯＦＤＭ変調方式、スペクトラム拡散変調方式、ＧＭＳＫ変調方式等があり、本遠隔監視制御システムにおいては、いずれの方式を用いてもよく、さらには上記以外の方式であってもよい。
【００４２】
（実施形態２）
本実施形態の遠隔監視制御システムの構成は図６に示され、実施形態１と同様の構成には同一の符号を付して説明は省略する。
【００４３】
本遠隔監視制御システムは、美術館や博物館等に用いられるもので、電力線３，３（配線ダクト２内の１対の導体３ａ，３ａ）には、美術館や博物館等の通路を照らす複数の照明器具１４がプラグ４を介して各々接続されている。
【００４４】
そして、端末装置５には展示品の説明アナウンスの情報が格納されており、端末装置５は、この説明アナウンスの情報に基づいて、電力線３を介して各照明器具１４へ制御信号を送信する。この各照明器具１４へ送信される制御信号は、各照明器具１４が発する照射光に変調をかけるもので、各照明器具１４の照射範囲Ａ１，Ａ２，．．．内に存在する人Ｈが持っている受信器２０に対して可視光通信を行う。
【００４５】
受信器２０は変調された可視光を照明器具１４から受けると、その各照射範囲Ａ１，Ａ２，．．．の周囲の展示品の説明が受信器２０のスピーカ（図示なし）からアナウンスされる。各照射範囲Ａ１，Ａ２，．．．毎に周囲の展示品も異なるので、各照明器具１４毎にアナウンス内容が互いに異なる制御信号が送信される。
【００４６】
また、図６中の破線に示すように、分電盤１に導入される電力引込線Ｐを、電柱等に設置したＰＬＣモデム８を介してインターネット網ＮＴに接続し、外部端末装置６からインターネット網ＮＴ、ＰＬＣモデム８経由で、電力線３上での電力線搬送通信を行い、各照明器具１４へ制御信号を送信してもよい。
【００４７】
さらに、複数の美術館や博物館等に本実施形態の遠隔監視制御システムを設けて、管理会社等で一括管理する場合、図６中の破線に示すように、管理会社等に設置したサーバ１００をインターネット網ＮＴに接続すれば、サーバ１００からＰＬＣモデム８，８１，８２，．．．を介して複数の遠隔監視制御システムを一括管理できる。なお、上記端末装置５、外部端末装置６を省略して、サーバ１００が端末装置の機能を有してもよい。
【００４８】
（実施形態３）
本実施形態の遠隔監視制御システムの構成は図７に示され、実施形態１と同様の構成には同一の符号を付して説明は省略する。
【００４９】
本遠隔監視制御システムは、工場等に用いられるもので、電力線３，３（配線ダクト２内の１対の導体３ａ，３ａ）には、工場等の生産ラインの様子を撮像するカメラ１５、モニタ装置１６がプラグ４を介して各々接続されている。
【００５０】
そして、端末装置５には、カメラ１５の撮像スケジュール情報が格納されている。端末装置５は、この撮像スケジュール情報に応じて、撮像命令の制御信号を電力線３を介してカメラ１５へ送信する。
【００５１】
撮像命令を受け取ったカメラ１５が撮像した後、端末装置５は、この撮像画像をモニタ装置１６へ送信させる制御信号を電力線３を介してカメラ１５へ送信する。この制御信号を受け取ったカメラ１５は、画像信号を電力線３を介してモニタ装置１６へ送信し、モニタ装置１６は画像を画面に表示する。
【００５２】
したがって、モニタ装置１６では、サーバ６に格納されている撮像スケジュールにしたがってカメラ１５の撮像画像が随時更新され、生産ラインの状況を把握することができる。
【００５３】
また、図７中の破線に示すように、分電盤１に導入される電力引込線Ｐを、電柱等に設置したＰＬＣモデム８を介してインターネット網ＮＴに接続し、外部端末装置６からインターネット網ＮＴ、ＰＬＣモデム８経由で、電力線３上での電力線搬送通信を行い、カメラ１５へ制御信号を送信してもよい。
【００５４】
さらに、複数の工場等に本実施形態の遠隔監視制御システムを設けて、管理会社等で一括管理する場合、図７中の破線に示すように、管理会社等に設置したサーバ１００をインターネット網ＮＴに接続すれば、サーバ１００からＰＬＣモデム８，８１，８２，．．．を介して複数の遠隔監視制御システムを一括管理できる。なお、上記端末装置５、外部端末装置６を省略して、サーバ１００が端末装置の機能を有してもよい。
【００５５】
なお、本実施形態の遠隔監視制御システムは工場以外の店舗、事務所等に設置して、監視，防犯用途に用いることもできる。
【００５６】
（実施形態４）
本実施形態の遠隔監視制御システムの構成を図８に示し、本遠隔監視制御システムは、工場の屋内に用いられる。なお、実施形態１と同様の構成には同一の符号を付して説明は省略する。
【００５７】
まず、天井面に取り付けられたトロリーダクト９内に配設した長尺の１対の導体３ａ，３ａで電力線３，３が構成される。
【００５８】
このトロリーダクト９は図９に示すように長尺中空のもので、その長手方向には開口部９ａが形成してある。トロリーダクト９の端部からトロリーダクト９内部にプラグ１０を挿入し、プラグ１０の一対の集電子１０ａ，１０ａをトロリーダクト９内の導体３ａ，３ａに接触させてプラグ１０を通電させる。さらに、プラグ１０は、トロリーダクト９の短手方向と同方向に設けた回転軸の両端に車輪１０ｂを備えており、この車輪１０ｂを開口部９ａの周縁の内壁面に載置することで、プラグ１０はトロリーダクト９に沿って移動自在に構成される。
【００５９】
そして、図８に示すように、ビデオカメラ１７がステーＳを介してプラグ１０に固定され、ステーＳ内に配設したケーブル（図示なし）を介してプラグ１０に接続されており、これらのビデオカメラ１７にはプラグ１０を介して電力線３から電源が供給される。
【００６０】
プラグ１０は、実施形態１乃至４のプラグ４と同様に、電路接続部４１、電力線搬送通信回路４２、インターフェース部４３、インピーダンスアッパー４４、給電部４５を備えており（図４参照）、本実施形態において電路接続部４１は、上記一対の集電子１０ａ，１０ａに相当する。
【００６１】
また、電力線３には、ＰＬＣモデム３０を介してモニタ装置１６が接続されている。
【００６２】
そして、端末装置５は、各ビデオカメラ１７の撮像動作のオン・オフを制御する制御信号や、各ビデオカメラ１７で撮像した映像をモニタ装置１６ヘ送信させる制御信号等を、電力線３を介して送信する。
【００６３】
本実施形態においては、プラグ１０を任意の撮像場所までトロリーダクト９に沿って移動させることができ、工場内の状況把握を広い範囲で行え、使い勝手がよいものとなる。
【００６４】
また、プラグ１０に接続される電気機器は、実施形態１と同様に、スピーカ１１、センサ１２、モニタ装置１３、照明器具１４等の電気機器であってもよく、この場合も各電気機器をトロリーダクト９に沿って移動させることができるので、使い勝手がよいものとなる。
【００６５】
また、図８中の破線に示すように、分電盤１に導入される電力引込線Ｐを、電柱等に設置したＰＬＣモデム８を介してインターネット網ＮＴに接続し、外部端末装置６や携帯端末７からインターネット網ＮＴ、ＰＬＣモデム８経由で、電力線３上での電力線搬送通信を行い、各電気機器の監視制御を行ってもよい。
【００６６】
さらに、複数の工場等に本実施形態の遠隔監視制御システムを設けて、管理会社等で一括管理する場合、図８中の破線に示すように、管理会社等に設置したサーバ１００をインターネット網ＮＴに接続すれば、サーバ１００からＰＬＣモデム８，８１，８２，．．．を介して複数の遠隔監視制御システムを一括管理できる。なお、上記端末装置５、外部端末装置６、携帯端末７を省略して、サーバ１００が端末装置の機能を有してもよい。
【００６７】
ところで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、Ｗｅｂカメラ等、以降、ＥＭＩＴ端末と称する。）＜図示せず＞にアクセスして、ＥＭＩＴ端末を遠隔監視・制御することができるシステムがある。
【００６８】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。
【００６９】
上述のＥＭＩＴ技術を応用したシステム（以降、ＥＭＩＴシステムと称する。）としては、外部端末がインターネット上に設けられたセンタサーバ（図示せず）経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものを挙げることができる。
【００７０】
そしてＥＭＩＴシステムによって、例えば、建物（戸建住宅、マンション、ビル、工場用等）＜図示せず＞内に上述のＥＭＩＴ端末を分散配置させて、外部端末からＥＭＩＴ端末の状態を遠隔から監視することで、建物全体のエネルギ管理や、建物内のガス、水道、電気の遠隔検針を行うことも可能となる。
【００７１】
そこで上述の本発明の実施形態１〜４に係る遠隔監視制御システムにおいて、電力線搬送通信による上記監視制御処理は、特定の通信プロトコルに依らないものであるが、例えば、上述のＥＭＩＴシステムを用いて電力線３に信号を重畳してデータ通信を行う形態でもよい。
【図面の簡単な説明】
【００７２】
【図１】実施形態１の遠隔監視制御システムの構成図である。
【図２】（ａ）（ｂ）同上のプラグと配線ダクトとの組み付け状態を示す図である。
【図３】（ａ）（ｂ）同上のプラグを示す斜視図である。
【図４】（ａ）（ｂ）同上のプラグの回路構成図である。
【図５】同上の端末装置の回路構成図である。
【図６】実施形態２の遠隔監視制御システムの構成図である。
【図７】実施形態３の遠隔監視制御システムの構成図である。
【図８】実施形態４の遠隔監視制御システムの構成図である。
【図９】同上のプラグとトロリーダクトとの組み付け状態を示す図である。
【符号の説明】
【００７３】
ＡＣ  商用電源
１  分電盤
２  配線ダクト
３  電力線
３ａ  導体
４  プラグ
５  端末装置
１１  スピーカ
１２  センサ
１３  モニタ装置
１４  照明器具
【図１】
2007166417.tif 000003
【図２】
2007166417.tif 000004
【図３】
2007166417.tif 000005
【図４】
2007166417.tif 000006
【図５】
2007166417.tif 000007
【図６】
2007166417.tif 000008
【図７】
2007166417.tif 000009
【図８】
2007166417.tif 000010
【図９】
2007166417.tif 000011
【手続補正書】
【提出日】平成19年4月16日(2007.4.16)
【手続補正１】
【補正対象書類名】特許請求の範囲
【補正対象項目名】請求項１
【補正方法】変更
【補正の内容】
【請求項１】
単相３線式の商用電源からの電力引込線を導入して一対の電力線を導出する分電盤と、電力線を収納したダクトと、ダクトに取り付けられて電力線に接続される１乃至複数のプラグと、プラグを介して電力線から電力を供給される１乃至複数の電気機器と、各電気機器を監視、制御する端末装置とを複数の屋内に各々設置して、プラグは、該プラグに接続された電気機器と、端末装置、他のプラグに接続された電気機器との間で電力線を介して通信を行う電力線搬送通信手段を具備し、
屋外には、各電力引込線とネットワークとの間にＰＬＣモデムを設置して、当該ネットワークにサーバを接続し、サーバは、ネットワーク、ＰＬＣモデム、電力引込線を通じて、各屋内の電力線を介して行われる通信を管理する
ことを特徴とする遠隔監視制御システム。
【手続補正２】
【補正対象書類名】明細書
【補正対象項目名】０００７
【補正方法】変更
【補正の内容】
【０００７】
請求項１の発明は、単相３線式の商用電源からの電力引込線を導入して一対の電力線を導出する分電盤と、電力線を収納したダクトと、ダクトに取り付けられて電力線に接続される１乃至複数のプラグと、プラグを介して電力線から電力を供給される１乃至複数の電気機器と、各電気機器を監視、制御する端末装置とを複数の屋内に各々設置して、プラグは、該プラグに接続された電気機器と、端末装置、他のプラグに接続された電気機器との間で電力線を介して通信を行う電力線搬送通信手段を具備し、屋外には、各電力引込線とネットワークとの間にＰＬＣモデムを設置して、当該ネットワークにサーバを接続し、サーバは、ネットワーク、ＰＬＣモデム、電力引込線を通じて、各屋内の電力線を介して行われる通信を管理することを特徴とする。